(57)【要約】本発明によるヘッドマウントディスプレイデバイスは、ディスプレイ装置とヘッドホン装置とを含み、ヘッドホン装置は、ヘッドホン受話器を含み、ディスプレイ装置は、第１接続ポートを含み、ヘッドホン装置は、第２接続ポートと、第３接続ポートとをさらに含み、ディスプレイ装置は、第１接続ポート及び第２接続ポートを介してヘッドホン装置と接続または分離することにより、ディスプレイ装置とヘッドホン装置とが、接続状態または分離状態になり、ヘッドホン装置は、ディスプレイ装置の第１接続ポートが前記ヘッドホン装置の第２接続ポートと分離されていることを検出する時、第３接続ポートを介して音声信号を受信するように制御し、ヘッドホン受話器によって音声信号を出力する。ヘッドマウントディスプレイデバイスのディスプレイ装置がヘッドホン装置と分離した後、ヘッドホン装置を使用し続け得るため、ユーザの使用を容易にする。【選択図】図１
2019505114.tif 000002
【特許請求の範囲】
【請求項１】
ディスプレイ装置と、ヘッドホン受話器を備えるヘッドホン装置と、を含むヘッドマウントディスプレイデバイスであって、
前記ディスプレイ装置は、第１接続ポートを含み、
前記ヘッドホン装置は、さらに第２接続ポートと、第３接続ポートとを含み、
前記ディスプレイ装置は、前記第１接続ポート及び前記第２接続ポートを介して前記ヘッドホン装置と接続または分離することにより、前記ディスプレイ装置と前記ヘッドホン装置とが、接続状態または分離状態になり、
前記ヘッドホン装置は、前記ディスプレイ装置の第１接続ポートが前記ヘッドホン装置の第２接続ポートと分離されていることを検出する時、前記第３接続ポートを介して音声信号を受信し、前記ヘッドホン受話器によって音声信号を出力するように制御することを特徴とする、ヘッドマウントディスプレイデバイス。
【請求項２】
前記ヘッドホン装置は、前記ディスプレイ装置の第１接続ポートが前記ヘッドホン装置の第２接続ポートに接続されていることを検出する時、前記第２接続ポートを介して前記ディスプレイ装置から音声信号を受信し、前記ヘッドホン受話器によって音声信号を出力するように制御することを特徴とする、請求項１に記載のヘッドマウントディスプレイデバイス。
【請求項３】
前記ヘッドホン装置は、ポート選択モジュールをさらに含み、
前記ポート選択モジュールは、前記第２接続ポートと前記第３接続ポートと前記ヘッドホン受話器との間に接続され、前記第２接続ポートが前記ディスプレイ装置の第１接続ポートに接続されているか否かを検出し、検出結果に応じて前記第２接続ポートと前記第３接続ポートのいずれかを選択して前記ヘッドホン受話器に接続するように構成されていることを特徴とする、請求項２に記載のヘッドマウントディスプレイデバイス。
【請求項４】
前記ポート選択モジュールは、検出ユニットと、経路スイッチとを含み、前記第２接続ポートは、接続検出ピンを含み、
前記経路スイッチは、前記第２接続ポートと前記第３接続ポートと前記ヘッドホン受話器との間に接続され、
前記検出ユニットは、前記第２接続ポートの接続検出ピンに接続され、前記接続検出ピンの電圧レベルを検出することにより、前記第２接続ポートが前記ディスプレイ装置の第１接続ポートに接続されているか否かを判断するように構成されており、
前記検出ユニットは、前記第２接続ポートが前記ディスプレイ装置の第１接続ポートに接続されていると判断した時、前記第２接続ポートと前記ヘッドホン受話器との電気的接続を確立するように前記経路スイッチを制御し、前記第２接続ポートが前記ディスプレイ装置の第１接続ポートから切断されると判断した時、前記第３接続ポートと前記ヘッドホン受話器との電気的接続を確立するように前記経路スイッチを制御することを特徴とする、請求項３に記載のヘッドマウントディスプレイデバイス。
【請求項５】
前記ディスプレイ装置は、音声及び映像処理モジュールをさらに含み、
前記音声及び映像処理モジュールは、音声及び映像ソースによって提供される映像信号をディスプレイ信号及び音声信号にデコードし、前記ディスプレイ信号を前記ディスプレイ装置に出力して表示を行い、前記第１接続ポートを介して前記音声信号を前記ヘッドホン装置に出力するように構成されていることを特徴とする、請求項２に記載のヘッドマウントディスプレイデバイス。
【請求項６】
前記ディスプレイ装置は、表示器と光モジュールとをさらに含み、
前記表示器は、前記音声及び映像処理モジュールに接続され、前記音声及び映像処理モジュールから出力されるディスプレイ信号を受信し、前記ディスプレイ信号によって、対応する表示フレームを生成するように構成されており、
前記光モジュールは、前記表示器により生成される表示フレームが拡大虚像を形成して予め設定された経路に従ってユーザの両眼に投影するように構成されていることを特徴とする、請求項５に記載のヘッドマウントディスプレイデバイス。
【請求項７】
前記ヘッドホン装置は、ノイズ低減回路をさらに含み、
前記ノイズ低減回路は、前記ポート選択モジュールと前記ヘッドホン受話器との間に電気的に接続され、前記ヘッドホン受話器に音声信号を出力する前に、前記音声信号へのノイズ低減処理を行うように構成されていることを特徴とする、請求項３に記載のヘッドマウントディスプレイデバイス。
【請求項８】
ヘッドマウントディスプレイシステムであって、
前記ヘッドマウントディスプレイシステムは、ヘッドマウントディスプレイデバイスと、前記ヘッドマウントディスプレイデバイスに接続されるように構成されているコントロールボックスとを含み、
前記ヘッドマウントディスプレイデバイスは、ディスプレイ装置と、ヘッドホン受話器を備えるヘッドホン装置とを含み、
前記ディスプレイ装置は、第１接続ポートを含み、
前記ヘッドホン装置は、第２接続ポートと、第３接続ポートとをさらに含み、
前記ディスプレイ装置は、前記第１接続ポート及び前記第２接続ポートを介して前記ヘッドホン装置と接続または分離し、
前記ヘッドホン装置は、前記ディスプレイ装置の第１接続ポートが前記ヘッドホン装置の第２接続ポートと分離されていることを検出する時、前記第３接続ポートを介して音声信号を前記コントロールボックスから受信し、前記ヘッドホン受話器によって前記音声信号を出力するように制御することを特徴とする、ヘッドマウントディスプレイシステム。
【請求項９】
前記ヘッドホン装置は、前記ディスプレイ装置の第１接続ポートが前記ヘッドホン装置の第２接続ポートに接続されていることを検出する時、前記第２接続ポートを介して前記ディスプレイ装置から音声信号を受信し、前記ヘッドホン受話器によって前記音声信号を出力するように制御し、
前記ディスプレイ装置は、前記コントロールボックスを介して、映像信号を受信してからディスプレイ信号及び前記音声信号にデコードすることを特徴とする、請求項８に記載のヘッドマウントディスプレイシステム。
【請求項１０】
前記ヘッドホン装置は、ポート選択モジュールをさらに含み、
前記ポート選択モジュールは、前記第２接続ポートと前記第３接続ポートと前記ヘッドホン受話器との間に接続され、前記第２接続ポートが前記ディスプレイ装置の第１接続ポートに接続されているか否かを検出し、検出結果に応じて前記第２接続ポートと前記第３接続ポートのいずれかを選択して前記ヘッドホン受話器に接続するように構成されていることを特徴とする、請求項９に記載のヘッドマウントディスプレイシステム。
【請求項１１】
前記ポート選択モジュールは、検出ユニットと、経路スイッチとを含み、前記第２接続ポートは、接続検出ピンを含み、
前記経路スイッチは、前記第２接続ポートと前記第３接続ポートと前記ヘッドホン受話器との間に接続され、
前記検出ユニットは、前記第２接続ポートの接続検出ピンに接続され、前記接続検出ピンの電圧レベルを検出することにより、前記第２接続ポートが前記ディスプレイ装置の第１接続ポートに接続されているか否かを判断するように構成されており、
前記検出ユニットは、前記第２接続ポートが前記ディスプレイ装置の第１接続ポートに接続されていると判断した時、前記第２接続ポートと前記ヘッドホン受話器との電気的接続を確立するように前記経路スイッチを制御し、前記第２接続ポートが前記ディスプレイ装置の第１接続ポートから切断されると判断した時、前記第３接続ポートと前記ヘッドホン受話器との電気的接続を確立するように前記経路スイッチを制御することを特徴とする、請求項１０に記載のヘッドマウントディスプレイシステム。
【請求項１２】
前記ディスプレイ装置は、音声及び映像処理モジュールをさらに含み、
前記音声及び映像処理モジュールは、前記コントロールボックスによって提供される映像信号をディスプレイ信号及び音声信号にデコードし、前記ディスプレイ信号を前記ディスプレイ装置に出力して表示を行い、前記第１接続ポートを介して前記音声信号を前記ヘッドホン装置に出力するように構成されていることを特徴とする、請求項９に記載のヘッドマウントディスプレイシステム。
【請求項１３】
前記ディスプレイ装置は、表示器と光モジュールとをさらに含み、
前記表示器は、前記音声及び映像処理モジュールに接続され、前記音声及び映像処理モジュールから出力されるディスプレイ信号を受信し、前記ディスプレイ信号によって、対応する表示フレームを生成するように構成されており、
前記光モジュールは、前記表示器により生成される表示フレームが拡大虚像を形成して予め設定された経路に従ってユーザの両眼に投影するように構成されていることを特徴とする、請求項１２に記載のヘッドマウントディスプレイシステム。
【請求項１４】
前記ヘッドホン装置は、ノイズ低減回路をさらに含み、
前記ノイズ低減回路は、前記ポート選択モジュールと前記ヘッドホン受話器との間に電気的に接続され、前記ヘッドホン受話器に音声信号を出力する前に、前記音声信号へのノイズ低減処理を行うように構成されていることを特徴とすることを特徴とする、請求項１０に記載のヘッドマウントディスプレイシステム。
【請求項１５】
前記コントロールボックスは、音声出力ポートと映像出力ポートとを含み、
前記音声出力ポートはヘッドホン装置と接続するように構成されており、
前記映像出力ポートは前記ディスプレイ装置と接続するように構成されており、
前記コントロールボックスは、前記映像出力ポートを介して前記ディスプレイ装置に映像信号を出力し、前記音声出力ポートを介して前記ヘッドホン装置に音声信号を出力するように構成されていることを特徴とする、請求項１０に記載のヘッドマウントディスプレイシステム。
【請求項１６】
前記コントロールボックスは、音声出力ポートおよび映像出力ポートによって統合される一つの統合ポートを含み、
前記統合ポートは、前記ヘッドホン装置の第３接続ポートに接続されるように構成されており、
前記コントロールボックスは、前記統合ポートを介して前記第３接続ポートに映像信号または音声信号を出力するように構成されており、
前記ディスプレイ装置は、前記第１接続ポートを介して前記第３接続ポートの映像信号を取得し、または、
前記ヘッドホン装置は、前記第３接続ポートを介して音声信号を取得し、前記ヘッドホン受話器によって前記音声信号を出力することを特徴とする、請求項１０に記載のヘッドマウントディスプレイシステム。
【請求項１７】
前記コントロールボックスは、制御ユニットと、入力ユニットと、記憶ユニットと、表示ユニットと、をさらに含み、
前記記憶ユニットは、音声および映像ファイルを格納するように構成されており、
前記制御ユニットは、ユーザが前記入力ユニットで入力した１つの映像ファイルを開く操作に応じて、前記映像ファイルを再生して対応する映像信号を生成し、前記映像出力ポートを介して前記映像信号を出力するように構成されており、
前記制御ユニットは、ユーザが前記入力ユニットで入力した１つの音声ファイルを開く操作に応じて、前記音声ファイルを再生して対応する音声信号を生成し、前記音声出力ポートを介して前記音声信号を出力するようにさらに構成されていることを特徴とする、請求項１５または１６に記載のヘッドマウントディスプレイシステム。
【請求項１８】
前記制御ユニットは、前記ディスプレイ装置が前記ヘッドホン装置と分離されている状態に応じて、前記コントロールボックスが音声再生モードに入るように制御するようにさらに構成されており、
前記音声再生モードにおいて、前記制御ユニットは、音声フォーマットのファイルソースのみを表示するように前記表示ユニットを制御することを特徴とする、請求項１７に記載のヘッドマウントディスプレイシステム。
【請求項１９】
前記コントロールボックスは、通信ユニットをさらに含み、
前記通信ユニットは、他の装置またはネットワークサーバと無線通信接続を行うように構成されており、
前記制御ユニットは、コントロールボックスが前記通信ユニットを介して前記他の装置に接続される時、前記他の装置における音声および映像ファイルを表示するように前記表示ユニットを制御し、前記音声および映像ファイルの選択に応じて、前記他の装置またはネットワークサーバにおける音声および映像ファイルを再生するように制御するようにさらに構成されていることを特徴とする、請求項１８に記載のヘッドマウントディスプレイシステム。
【請求項２０】
前記コントロールボックスは、他の装置と接続するように構成されている少なくとも１つのデータポートをさらに含み、
前記制御ユニットは、コントロールボックスが前記データポートを介して他の装置に接続される時、前記他の装置における音声および映像ファイルを表示するように前記表示ユニットを制御し、前記音声および映像ファイルの選択に応じて、前記他の装置における音声および映像ファイルを再生するように制御するようにさらに構成されていることを特徴とする、請求項１８に記載のヘッドマウントディスプレイシステム。
【発明の詳細な説明】
【技術分野】
【０００１】
本発明はディスプレイデバイスに関し、特にヘッドマウントディスプレイデバイス及びヘッドマウントディスプレイデバイスを有するヘッドマウントディスプレイシステムに関する。
【背景技術】
【０００２】
現在のヘッドマウントディスプレイデバイスは、通常、ディスプレイ装置とヘッドホン装置とを含み、一般に、映像ソース信号をディスプレイ装置でディスプレイ信号と音声信号とに分け、ディスプレイ信号をディスプレイ装置に出力して表示し、音声信号をディスプレイ信号によってヘッドホン装置に送信して出力し、音声を提供する。いくつかの応用シナリオにおいて、音声を聞くのみ必要とするかもしれない場合、ディスプレイ装置は相対的に冗長である。しかし、現在のヘッドマウントディスプレイデバイスの音声信号がディスプレイ装置を介してヘッドホン装置に伝送されるため、ディスプレイ装置がヘッドホン装置と分離した後、ヘッドホン装置が音声信号を受信できないという問題をもたらす。そのため、現在のヘッドマウントディスプレイデバイスは、ヘッドホン装置を介して音楽を聴くのみ必要がある場合にもかかわらず、依然としてディスプレイ装置とヘッドホン装置とを同時に有する必要があり、ユーザにとって不便である。
【発明の概要】
【０００３】
本発明の実施形態によるヘッドマウントディスプレイデバイス及びヘッドマウントディスプレイシステムは、ヘッドマウントディスプレイデバイスのディスプレイ装置がヘッドホン装置と分離した後、ヘッドホン装置を使用し続けることができるため、ユーザの使用を容易にする。
【０００４】
本発明の実施形態によるヘッドマウントディスプレイデバイスは、ディスプレイ装置とヘッドホン装置とを含む。ヘッドホン装置は、ヘッドホン受話器と、第２接続ポートと、第３接続ポートとを含む。前記ディスプレイ装置は、第１接続ポートを含む。前記ディスプレイ装置は、第１接続ポート及び第２接続ポートを介して前記ヘッドホン装置と接続または分離することにより、前記ディスプレイ装置と前記ヘッドホン装置とが、接続状態または分離状態になる。前記ヘッドホン装置は、ディスプレイ装置の第１接続ポートが前記ヘッドホン装置の第２接続ポートと分離されていることを検出する時、第３接続ポートを介して音声信号を受信し、かつヘッドホン受話器によって音声信号を出力するように制御する。
【０００５】
本発明の実施形態によるヘッドマウントディスプレイシステムは、ヘッドマウントディスプレイデバイスと、前記ヘッドマウントディスプレイデバイスに接続されるように構成されているコントロールボックスと、を含む。前記ヘッドマウントディスプレイデバイスは、ディスプレイ装置とヘッドホン装置とを含み、前記ヘッドホン装置は、ヘッドホン受話器と、第２接続ポートと、第３接続ポートとを含む。前記ディスプレイ装置は、第１接続ポートを含み、前記ヘッドホン装置は、第２接続ポートと、第３接続ポートとをさらに含む。前記ディスプレイ装置は、第１接続ポート及び第２接続ポートを介して前記ヘッドホン装置と接続または分離し、前記ヘッドホン装置は、ディスプレイ装置の第１接続ポートが前記ヘッドホン装置の第２接続ポートと分離されていることを検出する時、第３接続ポートを介して音声信号をコントロールボックスから受信し、かつヘッドホン受話器によって音声信号を出力するように制御する。
【０００６】
本発明のヘッドマウントディスプレイデバイス及びヘッドマウントディスプレイシステムは、ヘッドマウントディスプレイデバイスのディスプレイ装置がヘッドホン装置と分離した後、ヘッドホン装置を使用し続けることができる。
【０００７】
本発明の実施形態の技術的手段をより明確に説明するために、実施形態の説明で使用される添付図面を簡単に説明する。明らかに、以下に記載する添付の図面は、本発明のいくつかの実施形態のためのものに過ぎず、当業者は、創造的な努力なしにこれらの添付図面に従って他の添付図面を得ることができる。
【図面の簡単な説明】
【０００８】
【図１】本発明の一実施形態におけるヘッドマウントディスプレイデバイスが第一状態における模式図である。
【図２】本発明の一実施形態におけるヘッドマウントディスプレイデバイスが第二状態における模式図である。
【図３】本発明の一実施形態におけるヘッドホン装置の機能ブロック図である。
【図４】本発明の一実施形態におけるヘッドホン装置のポート選択モジュールの具体的な構造図である。
【図５】本発明の一実施形態におけるヘッドマウントディスプレイシステムの模式図である。
【図６】本発明の一実施形態におけるヘッドマウントディスプレイシステムのコントロールボックスの機能ブロック図である。
【図７】本発明の更なる実施形態におけるヘッドマウントディスプレイシステムの模式図である。
【図８】本発明の更なる実施形態におけるヘッドマウントディスプレイシステムのコントロールボックスの機能ブロック図である。
【発明を実施するための形態】
【０００９】
以下に、本発明の実施形態の添付の図面を参照しながら、本発明の実施形態の技術的手段を、明確かつ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【００１０】
図１及び図２を参照すると、図１及び図２は、本発明の一実施形態におけるヘッドマウントディスプレイデバイス１が異なる状態における模式図である。図１に示すように、当該ヘッドマウントディスプレイデバイス１は、ディスプレイ装置１０とヘッドホン装置２０とを含む。当該ディスプレイ装置１０は、第１接続ポート１１を含み、当該ヘッドホン装置２０は、ヘッドホン環状ベルト２１と、ヘッドホン環状ベルト２１の両端に位置し、ヘッドホン環状ベルト２１を介して接続された２つのヘッドホン受話器２２と、第２接続ポート２３と、第３接続ポート２４とを含む。当該ディスプレイ装置１０の第１接続ポート１１は、当該ヘッドホン装置２０の第２接続ポート２３と接続または分離することができる。それにより、当該ディスプレイ装置１０と当該ヘッドホン装置２０とが、図２に示すように接続する状態を呈し、または図１に示すように分離する状態を呈する。当該ヘッドホン装置２０は、ディスプレイ装置１０の第１接続ポート１１が当該ヘッドホン装置２０の第２接続ポート２３に接続されていることを検出する時、当該第２接続ポート２３を介してディスプレイ装置１０から音声信号を受信するように制御し、ヘッドホン受話器２２によって音声信号を出力する。当該ヘッドホン装置２０は、ディスプレイ装置１０の第１接続ポート１１が当該ヘッドホン装置２０の第２接続ポート２３と分離されていることを検出する時、第３接続ポート２４を介して他の音声及び映像ソース（図示せず）から音声信号を受信するように制御し、ヘッドホン受話器２２によって音声信号を出力する。
【００１１】
そのため、本発明のヘッドマウントディスプレイデバイス１のディスプレイ装置１０とヘッドホン装置２０とが分離される場合、ヘッドホン装置２０が依然として動作し続けることができる。このように、ディスプレイ装置が必要ではない場合、ディスプレイ装置１０を取り外すことができるため、冗長な素子にならず、ヘッドホン装置２０を依然として使用できるのを保証することができる。
【００１２】
当該二つのヘッドホン受話器２２は、当該ヘッドホン環状ベルト２１を介してデータ通信接続を行い、音声信号を二つのヘッドホン受話器２２の一方に出力し、ヘッドホン環状ベルト２１を介して二つのヘッドホン受話器２２の他方に伝送することができる。他の実施形態において、当該ヘッドホン環状ベルト２１を省略してもよく、当該ヘッドホン装置は、インイヤーヘッドホンである。
【００１３】
図３を参照すると、図３は、本発明の一実施形態におけるヘッドマウントディスプレイデバイス１の機能ブロック図である。当該ディスプレイ装置１０は、当該第１接続ポート１１に加えて、音声及び映像処理モジュール１２をさらに含む。当該音声及び映像処理モジュール１２は、音声及び映像ソースによって提供される映像信号をディスプレイ信号及び音声信号にデコードし、ディスプレイ信号をディスプレイ装置１０に出力して表示を行い、第１接続ポート１１を介して音声信号をヘッドホン装置２０に出力するように構成されている。当該音声及び映像処理モジュール１２は、音声及び映像デコードチップであってもよい。
【００１４】
当該ヘッドホン装置２０は、当該ヘッドホン受話器２２、当該第２接続ポート２３、当該第３接続ポート２４に加えて、ポート選択モジュール２５をさらに含む。当該ポート選択モジュール２５は、当該第２接続ポート２３と当該第３接続ポート２４と当該ヘッドホン受話器２２との間に接続され、当該第２接続ポート２３がディスプレイ装置１０の第１接続ポート１１に接続されているか否かを検出し、検出結果に応じて第２接続ポート２３と第３接続ポート２４のいずれかを選択してヘッドホン受話器２２に接続するように構成されている。
【００１５】
具体的に、当該ポート選択モジュール２５は、当該第２接続ポート２３がディスプレイ装置１０の第１接続ポート１１に接続されていることを検出する時、当該第２接続ポート２３とヘッドホン受話器２２との電気的接続を確立すると同時に、当該第３接続ポート２４とヘッドホン受話器２２との電気的接続を切断し、この時、当該ヘッドホン装置２０は、第２接続ポート２３を介してディスプレイ装置１０から音声信号を受信することを選択する。当該ポート選択モジュール２５は、当該第２接続ポート２３をディスプレイ装置１０の第１接続ポート１１から切断することを検出する時、当該第３接続ポート２４とヘッドホン受話器２２との電気的接続を確立すると同時に、当該第２接続ポート２３とヘッドホン受話器２２との電気的接続を切断し、この時、当該ヘッドホン装置２０は、第３接続ポート２４を介して音声信号を受信することを選択する。
【００１６】
図３に示すように、当該ディスプレイ装置１０は、表示器１３と光モジュール１４とをさらに含む。当該表示器１３は、当該音声及び映像処理モジュール１２に接続され、音声及び映像処理モジュール１２から出力されるディスプレイ信号を受信し、当該ディスプレイ信号によって、対応する表示フレームを生成するように構成されている。当該光モジュール１４は、当該表示器１３により生成される表示フレームが拡大虚像を形成して予め設定された経路に従ってユーザの両眼に投影するように構成されている。当該ヘッドホン装置２０は、ノイズ低減回路２６をさらに含む。当該ノイズ低減回路２６は、当該ポート選択モジュール２５と当該ヘッドホン受話器２２との間に電気的に接続され、ヘッドホン受話器２２に音声信号を出力する前に、当該音声信号へのノイズ低減処理を行い、音声品質を向上させるように構成されている。
【００１７】
図４を参照すると、図４は、ポート選択モジュール２５の内部機能ブロック図である。当該ポート選択モジュール２５は、検出ユニット２５１と、経路スイッチ２５２とを含む。当該第２接続ポート２３は、接続検出ピン２３１を含む。当該経路スイッチ２５２は、当該第２接続ポート２３と当該第３接続ポート２４と当該ヘッドホン受話器２２との間に接続され、当該第２接続ポート２３と当該ヘッドホン受話器２２との間の電気的接続を確立し、または当該第３接続ポート２４と当該ヘッドホン受話器２２との間の電気的接続を確立するように構成されている。当該検出ユニット２５１は、第２接続ポート２３の接続検出ピン２３１に接続され、当該接続検出ピン２３１の電圧レベルを検出することにより、当該第２接続ポート２３がディスプレイ装置１０の第１接続ポート１１に接続されているか否かを判断するように構成されている。具体的に、例えば、当該第２接続ポート２３がディスプレイ装置１０の第１接続ポート１１に接続される時、当該接続検出ピン２３１は高電圧レベルであり、当該第２接続ポート２３がディスプレイ装置１０の第１接続ポート１１から切断される時、当該接続検出ピン２３１は低電圧レベルである。そのため、当該検出ユニット２５１は、当該接続検出ピン２３１の電圧レベルが高電圧であることを検出する時、第２接続ポート２３がディスプレイ装置１０の第１接続ポート１１に接続されていると判断する。当該検出ユニット２５１は、当該接続検出ピン２３１の電圧レベルが低電圧レベルであることを検出する時、第２接続ポート２３がディスプレイ装置１０の第１接続ポート１１から切断され、即ち分離状態と判断する。一つの実施形態において、当該検出ユニット２５１は、当該接続検出ピン２３１の電圧レベルが変化するのを検出する時、ディスプレイ装置１０とヘッドホン装置２０との接続状態が変化するのを判断し、当該変化した電圧レベルによって、この時、ディスプレイ装置１０がヘッドホン装置２０に接続されるか、ディスプレイ装置１０がヘッドホン装置２０と分離されるかを判断する。
【００１８】
当該検出ユニット２５１は、シングルチップ、マイクロプロセッサなどであってもよい。
【００１９】
また、当該検出ユニット２５１は、第２接続ポート２３がディスプレイ装置１０の第１接続ポート１１に接続されていると判断した時、第２接続ポート２３とヘッドホン受話器２２との電気的接続を確立するように経路スイッチ２５２を制御し、第２接続ポート２３がディスプレイ装置１０の第１接続ポート１１から切断されると判断した時、第３接続ポート２４とヘッドホン受話器２２との電気的接続を確立するように経路スイッチ２５２を制御する。
【００２０】
当該経路スイッチ２５２は、単極双投スイッチＫ１であり、当該単極双投スイッチＫ１の静的接点Ｔ１が当該ヘッドホン受話器２２に電気的に接続され、当該単極双投スイッチＫ１の２つの可動接点Ｔ２、Ｔ３がそれぞれ第２接続ポート２３および第３接続ポート２４に電気的に接続される。当該検出ユニット２５１は、第２接続ポート２３がディスプレイ装置１０の第１接続ポート１１に接続されていると判断した時、単極双投スイッチＫ１の静的接点Ｔ１が当該可動接点Ｔ２に接続されるように制御することにより、第２接続ポート２３とヘッドホン受話器２２との電気的接続を確立する。当該検出ユニット２５１は、第２接続ポート２３がディスプレイ装置１０の第１接続ポート１１から切断されると判断した時、単極双投スイッチＫ１の静的接点Ｔ１が当該可動接点Ｔ３に接続されるように制御することにより、第３接続ポート２４とヘッドホン受話器２２との電気的接続を確立する。
【００２１】
図５を参照すると、図５は、ヘッドマウントディスプレイシステム１００の模式図である。当該ヘッドマウントディスプレイシステム１００は、図１〜図４に説明される当該ヘッドマウントディスプレイデバイス１とコントロールボックス２とを含む。当該コントロールボックス２は、音声出力ポート２０１および映像出力ポート２０２を含み、当該音声出力ポート２０１はヘッドホン装置２０と接続するように構成されており、当該映像出力ポート２０１はディスプレイ装置１０と接続するように構成されている。当該コントロールボックス２は、映像出力ポート２０２を介してディスプレイ装置１０に映像信号を供給し、音声出力ポート２０１を介してヘッドホン装置２０に音声信号を提供して出力するように構成されている。すなわち、当該コントロールボックス２は、ディスプレイ装置１０及びヘッドホン装置２０に音声及び映像ソースを提供する。図５に示すように、一つの実施形態において、当該ディスプレイ装置１０は、当該コントロールボックス２の映像出力ポート２０２に接続され、コントロールボックス２によって出力される映像信号を受信するように構成されている映像ポート１５をさらに含む。当該実施形態において、第３接続ポート２４は音声ポートであってもよく、音声信号を得ることのみで用いられる。
【００２２】
当該コントロールボックス２の音声出力ポート２０１は、両端がプラグを有する音声ラインＬ１を介してヘッドホン装置２０の第３接続ポート２４に接続される。すなわち、当該音声ラインＬ１の両端は、当該コントロールボックス２の音声出力ポート２０１及びヘッドホン装置２０の第３接続ポート２４にそれぞれ差し込まれて、コントロールボックス２の音声出力ポート２０１とヘッドホン装置２０の第３接続ポート２４との接続を確立する。当該コントロールボックス２の映像出力ポート２０２は、両端がプラグを有する映像ラインＬ２を介してディスプレイ装置１０の映像ポート１５に接続される。すなわち、当該映像ラインＬ２の両端は、当該コントロールボックス２の映像出力ポート２０２及びディスプレイ装置１０の映像ポート１５にそれぞれ差し込まれて、コントロールボックス２の映像出力ポート２０２１とディスプレイ装置１０の映像ポート１５との接続を確立する。
【００２３】
当該コントロールボックス２は、映像出力ポート２０２を介してディスプレイ装置１０に音声及び映像信号を出力した後、当該ディスプレイ装置１０の音声及び映像処理モジュール１２が、当該音声及び映像信号をディスプレイ信号及び音声信号にデコードして表示器１３および当該第１接続ポート１１にそれぞれ出力する。上記のように、当該ポート選択モジュール２５は、当該第２接続ポート２３がディスプレイ装置１０の第１接続ポート１１に接続されていることを検出する時、当該第２接続ポート２３とヘッドホン受話器２２との電気的接続を確立すると同時に、当該第３接続ポート２４とヘッドホン受話器２２との電気的接続を切断し、この時、当該ヘッドホン装置２０は、第２接続ポート２３を介してディスプレイ装置１０から音声信号を受信することを選択する。当該ポート選択モジュール２５は、当該第２接続ポート２３をディスプレイ装置１０の第１接続ポート１１から切断することを検出する時、当該第３接続ポート２４とヘッドホン受話器２２との電気的接続を確立すると同時に、当該第２接続ポート２３とヘッドホン受話器２２との電気的接続を切断し、この時、当該ヘッドホン装置２０は、第３接続ポート２４を介してコントロールボックス２から音声信号を直接に受信する。
【００２４】
当該音声出力ポート２０１は標準音声ポートであってもよい。当該コントロールボックス２は、当該音声出力ポート２０１を介して、ヘッドホン装置２に接続され得、ディスプレイ装置１を取り外す時、当該ヘッドホン装置２を単純にヘッドホンとして使用することができる。同時に、当該コントロールボックス２は、ディスプレイ装置１０およびヘッドホン装置２０の両方から切断された後、さらに音声出力ポート２０１を介してスピーカ、テレビなどの音声ポートを有する他の装置に接続され、音声出力を実現することができる。音声ラインＬ１は、それに応じて、左チャネルと右チャネルとを有する音声ラインなどであってもよい。
【００２５】
当該映像出力ポート２０２は、ＵＳＢ（Ｕｎｉｖｅｒｓａｌ  Ｓｅｒｉａｌ  Ｂｕｓ，ユニバーサルシリアルバス）ポート、ＭＨＬ（Ｍｏｂｉｌｅ  Ｈｉｇｈ−ｄｅｆｉｎｉｔｉｏｎ  Ｌｉｎｋ，モバイル・ハイデフニション・リンク）ポート、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ，高精細度マルチメディアインターフェース）ポートなどであってもよい。当該コントロールボックス２は、さらに当該映像出力ポート２０２を介してテレビ、携帯電話などの対応する映像ポートを有する他の装置に通信接続を実現し、他の装置にソースを提供することができる。当該映像ラインＬ２は、それに応じて、ＵＳＢライン、ＭＨＬライン、ＨＤＭＩラインなどであってもよい。
【００２６】
図６を参照すると、図６は、コントロールボックス２の機能ブロック図である。当該コントロールボックス２は、当該音声出力ポート２０１および当該映像出力ポート２０２に加えて、制御ユニット２０３、入力ユニット２０４、記憶ユニット２０５、表示ユニット２０６、および電力供給ユニット２０７をさらに含む。
【００２７】
当該記憶ユニット２０５は、例えば、ＭＰ３を含む音声ファイル及び、ＭＰ４、ＡＶＩを含む映像ファイルなどの音声および映像ファイルを格納するように構成されている。当該記憶ユニット２０５は、フラッシュメモリカード、ハードディスク、ディスクなどの記憶装置であってもよい。当該制御ユニット２０３は、マイクロコントローラ、中央処理ユニット、シングルチップ、デジタル信号プロセッサなどであってもよい。当該電力供給ユニット２０７は、コントロールボックス２の各モジュールに電力を供給し、ヘッドホン装置２０、ディスプレイ装置１０のデータ線に接続することにより、ヘッドホン装置２０、ディスプレイ装置１０に電力を供給するように構成されている。
【００２８】
当該制御ユニット２０３は、ユーザが入力ユニット２０４で入力した１つの映像ファイルを開く操作に応じて、当該映像ファイルを再生し、対応する映像信号を生成し、当該映像出力ポート２０２を介して、当該映像信号をディスプレイ装置１０に提供するように構成されている。上記のように、ディスプレイ装置１０の音声及び映像処理モジュール１２は、映像信号をディスプレイ信号及び音声信号に転換してディスプレイ装置１０の表示器１３及び第一ポート１１にそれぞれ送信することにより、表示器１３が表示するためのディスプレイ信号を提供し、及びヘッドホン装置２０が音声を出力するための音声信号を提供する。
【００２９】
当該制御ユニット２０３は、さらにユーザが入力ユニット２０４で入力した一つの音声ファイルを開く操作に応じて、当該音声ファイルを再生して対応する音声信号を生成し、当該音声出力ポート２０１を介してヘッドホン装置２０に送信するように構成されている。
【００３０】
本実施形態において、当該制御ユニット２０３は、当該ディスプレイ装置１０がヘッドホン装置２０に接続されている状態にさらに応じて、当該コントロールボックス２が映像再生モードに入るように制御し、及び、当該ディスプレイ装置１０がヘッドホン装置２０と分離されている状態に応じて、当該コントロールボックス２が音声再生モードに入るように制御する。映像再生モードにおいて、当該制御ユニット２０３は、ユーザの選択に供する映像フォーマットを含むファイルソースを表示し、例えば、ＡＶＩフォーマットのファイルのみを表示するように当該表示ユニット２０６を制御する。ファイルソースの表示形態は、ファイルリスト、アイコンの形態を含むが、これに限定されず、ユーザが当該表示形態を識別して選択することができればよい。また、当該制御ユニット２０３は、ユーザが入力ユニット２０４で入力した１つの映像ファイルを開く操作に応じて、当該映像ファイルを再生し、当該映像ファイルの制御インターフェース又は当該映像ファイルの内容を表示するように当該表示ユニット２０６を制御する。音声再生モードにおいて、当該制御ユニット２０３は、ユーザの選択に供する音声フォーマットのファイルリストのみを表示し、例えば、ＭＰ３フォーマットのファイルのみを表示するように当該表示ユニット２０６を制御する。また、当該制御ユニット２０３は、ユーザが入力ユニット２０４で入力した１つの音声ファイルを開く操作に応じて当該音声ファイルを再生し、音声ファイルの制御インターフェースまたは歌詞などを表示するように当該表示ユニット２０６を制御する。
【００３１】
図５及び図６に示すように、当該コントロールボックス２は、少なくとも１つのデータポート２０８をさらに含む。当該少なくとも１つのデータポート２０８は、ディスプレイ装置１０、ヘッドホン装置２０、及び他の装置と接続するように構成されており、コントロールボックス２がディスプレイ装置１０、ヘッドホン装置２０、及び他の装置と有線接続するように構成されているデータポートを含む。当該データポート２０４は、ＵＳＢポート、ミニＵＳＢポート、有線ネットワークポートなどのタイプのポートを含むことができる。さらに、当該制御ユニット２０３は、当該データポート２０８を介して当該ヘッドホン装置２０のポート選択モジュール２５の検出結果を取得し、当該検出結果に応じて映像再生モードまたは音声再生モードに入るように当該コントロールボックス２を制御する。具体的に、当該制御ユニット２０３は、当該ポート選択モジュール２５が、当該第２接続ポート２３がディスプレイ装置１０の第１接続ポート１１に接続されているのを検出した時、この時、ディスプレイ装置１０がヘッドホン装置２０に接続されていることを確定して、コントロールボックス２が映像再生モードに入るように制御する。当該制御ユニット２０３は、当該ポート選択モジュール２５が当該第２接続ポート２３をディスプレイ装置１０の第１接続ポート１１から切断するのを検出した時、この時、ディスプレイ装置１０がヘッドホン装置２０と分離されていることを確定して、コントロールボックス２が音声再生モードに入るように制御する。
【００３２】
一つの実施形態において、当該制ユニット２０３は、当該映像出力ポート２０２が当該ディスプレイ装置１０に接続されない時、当該コントロールボックス２が音声再生モードに直接に入るように制御する。
【００３３】
他の実施形態において、図７、図８に示すように、当該コントロールボックス２'の当該映像出力ポート２０２および当該音声出力ポート２０１は、一つの統合ポート２１０に統合され得る。当該コントロールボックス２'の統合ポート２１０は、映像信号及び音声信号を伝送できるデータラインＬ３を介してヘッドホン装置２０の第３接続ポート２４に接続される。当該データラインＬ３は、両端がプラグを有するプラガブルなデータラインであってもよい。ヘッドマウントディスプレイデバイス１および他のモジュールの原理は上述したものに類似するため、ここで上記の実施例を参照しながら説明する。コントロールボックス２'は、統合ポート２１０を介してディスプレイ装置１０に映像信号を供給し、又はヘッドホン装置２０に音声信号を提供する。当該ヘッドホン装置２０の第３接続ポート２４は、ポート選択モジュール２５に接続される。当該ポート選択モジュール２５は、第２接続ポート２３がディスプレイ装置１０の第１接続ポート１１に接続されていることを検出する時、当該第２接続ポート２３と当該第３接続ポート２４との電気的接続を確立し、第２接続ポート２３とヘッドホン受話器２２との電気的接続を確立する。この時、当該ヘッドホン装置２０は、第３接続ポート２４に取得されるコントロールボックス２の映像信号を、第２接続ポート２３を介して当該音声及び映像処理モジュール１２に伝送する。それにより、音声及び映像処理モジュール１２は、当該映像信号をディスプレイ信号及び音声信号にデコードし、ディスプレイ信号をディスプレイ装置１０に出力して表示を行い、ヘッドホン装置２０が第２接続ポート２３を介してディスプレイ装置１０から音声信号を受信してヘッドホン受話器２２により再生される。また、当該ポート選択モジュール２５は、当該第２接続ポート２３をディスプレイ装置１０の第１接続ポート１１から切断されることを検出する時、第３接続ポート２４とヘッドホン受話器２２との電気的接続を確立する。ヘッドホン装置２０は、当該第３接続ポート２４を介して、音声信号をヘッドホン受話器２２によって出力する。当該実施形態において、コントロールボックス２'とヘッドマウントディスプレイデバイス１からなるヘッドマウントディスプレイシステム１００'は、接続するためのデータラインＬ３が１つのみで必要としながら、ディスプレイ装置１０が取り外された後にヘッドホン装置２０が依然として音声信号を再生することができる。同時に、当該コントロールボックス２'は、依然として、当該ヘッドホン装置２０のポート選択モジュール２５の検出結果に応じて映像再生モードまたは音声再生モードに入るように当該コントロールボックス２'を制御する。
【００３４】
図６に示すように、当該コントロールボックス２は、通信ユニット２０９をさらに含む。当該通信ユニット２０５は、他の装置と無線通信接続を行うように構成されている。当該通信ユニット２０５は、ブルートゥースモジュール、ＷＩＦＩモジュール、無線高周波モジュール、高周波通信モジュール等であってもよい。
【００３５】
当該制御ユニット２０３は、コントロールボックス２がデータポート２０８または通信ユニット２０９を介して他の装置に接続される時、ユーザの選択に供するために、他の装置における音声および映像ファイルを表示するように当該表示ユニット２０６を制御し、且つ、ユーザの選択に応じて、他の装置またはネットワークサーバの音声および映像ファイルを直接再生するように制御するようにさらに構成されている。
【００３６】
一つの実施形態において、当該制御ユニット２０３は、ユーザが入力ユニット２０４を介して入力される記憶操作にさらに応じて、他の装置の音声および映像ファイルを記憶ユニット２０５に記憶するように制御する。当該他の装置は、携帯電話、パーソナルコンピュータ、ネットワークサーバなどであってもよい。
【００３７】
当該入力ユニット２０４は、タッチパネル、タッチスクリーン、キーの少なくとも１つを含むことができる。
【００３８】
一つの実施形態において、当該ヘッドホン装置２０において、再生制御の入力機構として、タッチパネル、タッチスクリーンなどのタッチ入力装置も設定され得る。
【００３９】
以上は、本発明の好ましい実施例である。当業者であれば、本発明の原理から逸脱することなく、幾つかの改良および変更を行うことができ、これらの改良および変更も本発明の保護の範囲とみなされることが理解されるべきである。
【図１】
2019505114.tif 000003
【図２】
2019505114.tif 000004
【図３】
2019505114.tif 000005
【図４】
2019505114.tif 000006
【図５】
2019505114.tif 000007
【図６】
2019505114.tif 000008
【図７】
2019505114.tif 000009
【図８】
2019505114.tif 000010
【手続補正書】
【提出日】平成30年6月13日(2018.6.13)
【手続補正１】
【補正対象書類名】明細書
【補正対象項目名】００１４
【補正方法】変更
【補正の内容】
【００１４】
当該ヘッドホン装置２０は、当該ヘッドホン受話器２２、当該第２接続ポート２３、当該第３接続ポート２４に加えて、ポート選択モジュール２５をさらに含む。当該ポート選択モジュール２５は、当該第２接続ポート２３と当該第３接続ポート２４と当該ヘッドホン受話器２２との間に接続され、当該第２接続ポート２３がディスプレイ装置１０の第１接続ポート１１に接続されているか否かを検出して検出結果を取得し、検出結果に応じて第２接続ポート２３と第３接続ポート２４のいずれかを選択してヘッドホン受話器２２に接続する構成されている。
【手続補正２】
【補正対象書類名】明細書
【補正対象項目名】００２１
【補正方法】変更
【補正の内容】
【００２１】
図５を参照すると、図５は、ヘッドマウントディスプレイシステム１００の模式図である。当該ヘッドマウントディスプレイシステム１００は、図１〜図４に説明される当該ヘッドマウントディスプレイデバイス１とコントロールボックス２とを含む。当該コントロールボックス２は、音声出力ポート２０１および映像出力ポート２０２を含み、当該音声出力ポート２０１はヘッドホン装置２０と接続するように構成されており、当該映像出力ポート２０２はディスプレイ装置１０と接続するように構成されている。当該コントロールボックス２は、映像出力ポート２０２を介してディスプレイ装置１０に映像信号を供給し、音声出力ポート２０１を介してヘッドホン装置２０に音声信号を提供して出力するように構成されている。すなわち、当該コントロールボックス２は、ディスプレイ装置１０及びヘッドホン装置２０に音声及び映像ソースを提供する。図５に示すように、一つの実施形態において、当該ディスプレイ装置１０は、当該コントロールボックス２の映像出力ポート２０２に接続され、コントロールボックス２によって出力される映像信号を受信するように構成されている映像ポート１５をさらに含む。当該実施形態において、第３接続ポート２４は音声ポートであってもよく、音声信号を得ることのみで用いられる。
【手続補正３】
【補正対象書類名】明細書
【補正対象項目名】００２３
【補正方法】変更
【補正の内容】
【００２３】
当該コントロールボックス２は、映像出力ポート２０２を介してディスプレイ装置１０に映像信号を出力した後、当該ディスプレイ装置１０の音声及び映像処理モジュール１２が、当該映像信号をディスプレイ信号及び音声信号にデコードして表示器１３および当該第１接続ポート１１にそれぞれ出力する。上記のように、当該ポート選択モジュール２５は、当該第２接続ポート２３がディスプレイ装置１０の第１接続ポート１１に接続されていることを検出する時、当該第２接続ポート２３とヘッドホン受話器２２との電気的接続を確立すると同時に、当該第３接続ポート２４とヘッドホン受話器２２との電気的接続を切断し、この時、当該ヘッドホン装置２０は、第２接続ポート２３を介してディスプレイ装置１０から音声信号を受信することを選択する。当該ポート選択モジュール２５は、当該第２接続ポート２３をディスプレイ装置１０の第１接続ポート１１から切断することを検出する時、当該第３接続ポート２４とヘッドホン受話器２２との電気的接続を確立すると同時に、当該第２接続ポート２３とヘッドホン受話器２２との電気的接続を切断し、この時、当該ヘッドホン装置２０は、第３接続ポート２４を介してコントロールボックス２から音声信号を直接に受信する。
【手続補正４】
【補正対象書類名】明細書
【補正対象項目名】００２４
【補正方法】変更
【補正の内容】
【００２４】
当該音声出力ポート２０１は標準音声ポートであってもよい。当該コントロールボックス２は、当該音声出力ポート２０１を介して、ヘッドホン装置２０に接続され得、ディスプレイ装置１０を取り外す時、当該ヘッドホン装置２０を単純にヘッドホンとして使用することができる。同時に、当該コントロールボックス２は、ディスプレイ装置１０およびヘッドホン装置２０の両方から切断された後、さらに音声出力ポート２０１を介してスピーカ、テレビなどの音声ポートを有する他の装置に接続され、音声出力を実現することができる。音声ラインＬ１は、それに応じて、左チャネルと右チャネルとを有する音声ラインなどであってもよい。
【手続補正５】
【補正対象書類名】明細書
【補正対象項目名】００２７
【補正方法】変更
【補正の内容】
【００２７】
当該記憶ユニット２０５は、例えば、ＭＰ３を含む音声ファイル及び、ＭＰ４、ＡＶＩを含む映像ファイルなどの音声および映像ファイルを格納するように構成されている。当該記憶ユニット２０５は、フラッシュメモリカード、ハードディスク、ディスクなどの記憶装置であってもよい。当該制御ユニット２０３は、マイクロコントローラ、中央処理ユニット、シングルチップ、デジタル信号プロセッサなどであってもよい。当該表示ユニット２０６は、ディスプレイスクリーンまたはタッチディスプレイスクリーンであってもよい。当該電源ユニット２０７は、コントロールボックス２の各モジュールに電力を供給し、ヘッドホン装置２０、ディスプレイ装置１０とのデータ線に接続することにより、ヘッドホン装置２０、ディスプレイ装置１０に電力を供給するように構成されている。
【手続補正６】
【補正対象書類名】明細書
【補正対象項目名】００３１
【補正方法】変更
【補正の内容】
【００３１】
図５及び図６に示すように、当該コントロールボックス２は、少なくとも１つのデータポート２０８をさらに含む。当該少なくとも１つのデータポート２０８は、ディスプレイ装置１０、ヘッドホン装置２０、及び他の装置と接続するように構成されており、コントロールボックス２がディスプレイ装置１０、ヘッドホン装置２０、及び他の装置と有線接続するように構成されているデータポートを含む。当該データポート２０８は、ＵＳＢポート、ミニＵＳＢポート、有線ネットワークポートなどのタイプのポートを含むことができる。さらに、当該制御ユニット２０３は、当該データポート２０８を介して当該ヘッドホン装置２０のポート選択モジュール２５の検出結果を取得し、当該検出結果に応じて映像再生モードまたは音声再生モードに入るように当該コントロールボックス２を制御する。具体的に、当該制御ユニット２０３は、当該ポート選択モジュール２５が、当該第２接続ポート２３がディスプレイ装置１０の第１接続ポート１１に接続されているのを検出した時、この時、ディスプレイ装置１０がヘッドホン装置２０に接続されていることを確定して、コントロールボックス２が映像再生モードに入るように制御する。当該制御ユニット２０３は、当該ポート選択モジュール２５が当該第２接続ポート２３をディスプレイ装置１０の第１接続ポート１１から切断するのを検出した時、この時、ディスプレイ装置１０がヘッドホン装置２０に分離されていることを確定して、コントロールボックス２が音声再生モードに入るように制御する。
【手続補正７】
【補正対象書類名】明細書
【補正対象項目名】００３３
【補正方法】変更
【補正の内容】
【００３３】
他の実施形態において、図７、図８に示すように、コントロールボックス２'は上記の別の実施形態に説明されている。当該コントロールボックス２'の当該映像出力ポート２０２および当該音声出力ポート２０１は、一つの統合ポート２１０に統合され得る。当該コントロールボックス２'の統合ポート２１０は、映像信号及び音声信号を伝送できるデータラインＬ３を介してヘッドホン装置２０の第３接続ポート２４に接続される。当該データラインＬ３は、両端がプラグを有するプラガブルなデータラインであってもよい。ヘッドマウントディスプレイデバイス１および他のモジュールの原理は上述したものに類似するため、ここで上記の実施例を参照しながら説明する。コントロールボックス２'は、統合ポート２１０を介してディスプレイ装置１０に映像信号を供給し、又はヘッドホン装置２０に音声信号を提供する。当該ヘッドホン装置２０の第３接続ポート２４は、ポート選択モジュール２５に接続される。当該ポート選択モジュール２５は、第２接続ポート２３がディスプレイ装置１０の第１接続ポート１１に接続されていることを検出する時、当該第２接続ポート２３と当該第３接続ポート２４との電気的接続を確立し、第２接続ポート２３とヘッドホン受話器２２との電気的接続を確立する。この時、当該ヘッドホン装置２０は、第３接続ポート２４に取得されるコントロールボックス２'の映像信号を、第２接続ポート２３を介して当該音声及び映像処理モジュール１２に伝送する。それにより、音声及び映像処理モジュール１２は、当該映像信号をディスプレイ信号及び音声信号にデコードし、ディスプレイ信号をディスプレイ装置１０に出力して表示を行い、ヘッドホン装置２０が第２接続ポート２３を介してディスプレイ装置１０から音声信号を受信してヘッドホン受話器２２により再生される。また、当該ポート選択モジュール２５は、当該第２接続ポート２３をディスプレイ装置１０の第１接続ポート１１から切断されることを検出する時、第３接続ポート２４とヘッドホン受話器２２との電気的接続を確立する。ヘッドホン装置２０は、当該第３接続ポート２４により音声信号をコントロールボックス２'から受信し、音声信号をヘッドホン受話器２２によって出力する。当該実施形態において、コントロールボックス２'とヘッドマウントディスプレイデバイス１からなるヘッドマウントディスプレイシステム１００'は、接続するためのデータラインＬ３が１つのみで必要としながら、ディスプレイ装置１０が取り外された後にヘッドホン装置２０が依然として音声信号を再生することができる。同時に、当該コントロールボックス２'は、依然として、当該ヘッドホン装置２０のポート選択モジュール２５の検出結果に応じて映像再生モードまたは音声再生モードに入るように当該コントロールボックス２'を制御する。
【手続補正８】
【補正対象書類名】明細書
【補正対象項目名】００３４
【補正方法】変更
【補正の内容】
【００３４】
図６に示すように、当該コントロールボックス２は、通信ユニット２０９をさらに含む。当該通信ユニット２０９は、他の装置と無線通信接続を行うように構成されている。当該通信ユニット２０９は、ブルートゥースモジュール、ＷＩＦＩモジュール、無線高周波モジュール、高周波通信モジュール等であってもよい。
【手続補正９】
【補正対象書類名】特許請求の範囲
【補正対象項目名】全文
【補正方法】変更
【補正の内容】
【特許請求の範囲】
【請求項１】
ディスプレイ装置と、ヘッドホン受話器を備えるヘッドホン装置と、を含むヘッドマウントディスプレイデバイスであって、
前記ディスプレイ装置は、第１接続ポートを含み、
前記ヘッドホン装置は、さらに第２接続ポートと、第３接続ポートとを含み、
前記ディスプレイ装置は、前記第１接続ポート及び前記第２接続ポートを介して前記ヘッドホン装置と接続または分離することにより、前記ディスプレイ装置と前記ヘッドホン装置とが、接続状態または分離状態になり、
前記ヘッドホン装置は、前記ディスプレイ装置の第１接続ポートが前記ヘッドホン装置の第２接続ポートと分離されていることを検出する時、前記第３接続ポートを介して音声信号を受信し、前記ヘッドホン受話器によって音声信号を出力するように制御することを特徴とする、ヘッドマウントディスプレイデバイス。
【請求項２】
前記ヘッドホン装置は、前記ディスプレイ装置の第１接続ポートが前記ヘッドホン装置の第２接続ポートに接続されていることを検出する時、前記第２接続ポートを介して前記ディスプレイ装置から音声信号を受信し、前記ヘッドホン受話器によって音声信号を出力するように制御することを特徴とする、請求項１に記載のヘッドマウントディスプレイデバイス。
【請求項３】
前記ヘッドホン装置は、ポート選択モジュールをさらに含み、
前記ポート選択モジュールは、前記第２接続ポートと前記第３接続ポートと前記ヘッドホン受話器との間に接続され、前記第２接続ポートが前記ディスプレイ装置の第１接続ポートに接続されているか否かを検出し、検出結果に応じて前記第２接続ポートと前記第３接続ポートのいずれかを選択して前記ヘッドホン受話器に接続するように構成されていることを特徴とする、請求項２に記載のヘッドマウントディスプレイデバイス。
【請求項４】
前記ポート選択モジュールは、検出ユニットと、経路スイッチとを含み、前記第２接続ポートは、接続検出ピンを含み、
前記経路スイッチは、前記第２接続ポートと前記第３接続ポートと前記ヘッドホン受話器との間に接続され、
前記検出ユニットは、前記第２接続ポートの接続検出ピンに接続され、前記接続検出ピンの電圧レベルを検出することにより、前記第２接続ポートが前記ディスプレイ装置の第１接続ポートに接続されているか否かを判断するように構成されており、
前記検出ユニットは、前記第２接続ポートが前記ディスプレイ装置の第１接続ポートに接続されていると判断した時、前記第２接続ポートと前記ヘッドホン受話器との電気的接続を確立するように前記経路スイッチを制御し、前記第２接続ポートが前記ディスプレイ装置の第１接続ポートから切断されると判断した時、前記第３接続ポートと前記ヘッドホン受話器との電気的接続を確立するように前記経路スイッチを制御することを特徴とする、請求項３に記載のヘッドマウントディスプレイデバイス。
【請求項５】
前記ディスプレイ装置は、音声及び映像処理モジュールをさらに含み、
前記音声及び映像処理モジュールは、音声及び映像ソースによって提供される映像信号をディスプレイ信号及び音声信号にデコードし、前記ディスプレイ信号を前記ディスプレイ装置に出力して表示を行い、前記第１接続ポートを介して前記音声信号を前記ヘッドホン装置に出力するように構成されていることを特徴とする、請求項２に記載のヘッドマウントディスプレイデバイス。
【請求項６】
前記ディスプレイ装置は、表示器と光モジュールとをさらに含み、
前記表示器は、前記音声及び映像処理モジュールに接続され、前記音声及び映像処理モジュールから出力されるディスプレイ信号を受信し、前記ディスプレイ信号によって、対応する表示フレームを生成するように構成されており、
前記光モジュールは、前記表示器により生成される表示フレームが拡大虚像を形成して予め設定された経路に従ってユーザの両眼に投影するように構成されていることを特徴とする、請求項５に記載のヘッドマウントディスプレイデバイス。
【請求項７】
前記ヘッドホン装置は、ノイズ低減回路をさらに含み、
前記ノイズ低減回路は、前記ポート選択モジュールと前記ヘッドホン受話器との間に電気的に接続され、前記ヘッドホン受話器に音声信号を出力する前に、前記音声信号へのノイズ低減処理を行うように構成されていることを特徴とする、請求項３に記載のヘッドマウントディスプレイデバイス。
【請求項８】
ヘッドマウントディスプレイシステムであって、
前記ヘッドマウントディスプレイシステムは、ヘッドマウントディスプレイデバイスと、前記ヘッドマウントディスプレイデバイスに接続されるように構成されているコントロールボックスとを含み、
前記ヘッドマウントディスプレイデバイスは、ディスプレイ装置と、ヘッドホン受話器を備えるヘッドホン装置とを含み、
前記ディスプレイ装置は、第１接続ポートを含み、
前記ヘッドホン装置は、第２接続ポートと、第３接続ポートとをさらに含み、
前記ディスプレイ装置は、前記第１接続ポート及び前記第２接続ポートを介して前記ヘッドホン装置と接続または分離し、
前記ヘッドホン装置は、前記ディスプレイ装置の第１接続ポートが前記ヘッドホン装置の第２接続ポートと分離されていることを検出する時、前記第３接続ポートを介して音声信号を前記コントロールボックスから受信し、前記ヘッドホン受話器によって前記音声信号を出力するように制御することを特徴とする、ヘッドマウントディスプレイシステム。
【請求項９】
前記ヘッドホン装置は、前記ディスプレイ装置の第１接続ポートが前記ヘッドホン装置の第２接続ポートに接続されていることを検出する時、前記第２接続ポートを介して前記ディスプレイ装置から音声信号を受信し、前記ヘッドホン受話器によって前記音声信号を出力するように制御し、
前記ディスプレイ装置は、前記コントロールボックスを介して、映像信号を受信してからディスプレイ信号及び前記音声信号にデコードすることを特徴とする、請求項８に記載のヘッドマウントディスプレイシステム。
【請求項１０】
前記ヘッドホン装置は、ポート選択モジュールをさらに含み、
前記ポート選択モジュールは、前記第２接続ポートと前記第３接続ポートと前記ヘッドホン受話器との間に接続され、前記第２接続ポートが前記ディスプレイ装置の第１接続ポートに接続されているか否かを検出し、検出結果に応じて前記第２接続ポートと前記第３接続ポートのいずれかを選択して前記ヘッドホン受話器に接続するように構成されていることを特徴とする、請求項９に記載のヘッドマウントディスプレイシステム。
【請求項１１】
前記ポート選択モジュールは、検出ユニットと、経路スイッチとを含み、前記第２接続ポートは、接続検出ピンを含み、
前記経路スイッチは、前記第２接続ポートと前記第３接続ポートと前記ヘッドホン受話器との間に接続され、
前記検出ユニットは、前記第２接続ポートの接続検出ピンに接続され、前記接続検出ピンの電圧レベルを検出することにより、前記第２接続ポートが前記ディスプレイ装置の第１接続ポートに接続されているか否かを判断するように構成されており、
前記検出ユニットは、前記第２接続ポートが前記ディスプレイ装置の第１接続ポートに接続されていると判断した時、前記第２接続ポートと前記ヘッドホン受話器との電気的接続を確立するように前記経路スイッチを制御し、前記第２接続ポートが前記ディスプレイ装置の第１接続ポートから切断されると判断した時、前記第３接続ポートと前記ヘッドホン受話器との電気的接続を確立するように前記経路スイッチを制御することを特徴とする、請求項１０に記載のヘッドマウントディスプレイシステム。
【請求項１２】
前記ディスプレイ装置は、音声及び映像処理モジュールをさらに含み、
前記音声及び映像処理モジュールは、前記コントロールボックスによって提供される映像信号をディスプレイ信号及び音声信号にデコードし、前記ディスプレイ信号を前記ディスプレイ装置に出力して表示を行い、前記第１接続ポートを介して前記音声信号を前記ヘッドホン装置に出力するように構成されていることを特徴とする、請求項９に記載のヘッドマウントディスプレイシステム。
【請求項１３】
前記ディスプレイ装置は、表示器と光モジュールとをさらに含み、
前記表示器は、前記音声及び映像処理モジュールに接続され、前記音声及び映像処理モジュールから出力されるディスプレイ信号を受信し、前記ディスプレイ信号によって、対応する表示フレームを生成するように構成されており、
前記光モジュールは、前記表示器により生成される表示フレームが拡大虚像を形成して予め設定された経路に従ってユーザの両眼に投影するように構成されていることを特徴とする、請求項１２に記載のヘッドマウントディスプレイシステム。
【請求項１４】
前記ヘッドホン装置は、ノイズ低減回路をさらに含み、
前記ノイズ低減回路は、前記ポート選択モジュールと前記ヘッドホン受話器との間に電気的に接続され、前記ヘッドホン受話器に音声信号を出力する前に、前記音声信号へのノイズ低減処理を行うように構成されていることを特徴とすることを特徴とする、請求項１０に記載のヘッドマウントディスプレイシステム。
【請求項１５】
前記コントロールボックスは、音声出力ポートと映像出力ポートとを含み、
前記音声出力ポートはヘッドホン装置と接続するように構成されており、
前記映像出力ポートは前記ディスプレイ装置と接続するように構成されており、
前記コントロールボックスは、前記映像出力ポートを介して前記ディスプレイ装置に映像信号を出力し、前記音声出力ポートを介して前記ヘッドホン装置に音声信号を出力するように構成されていることを特徴とする、請求項１０に記載のヘッドマウントディスプレイシステム。
【請求項１６】
前記コントロールボックスは、音声出力ポートおよび映像出力ポートによって統合される一つの統合ポートを含み、
前記統合ポートは、前記ヘッドホン装置の第３接続ポートに接続されるように構成されており、
前記コントロールボックスは、前記統合ポートを介して前記第３接続ポートに映像信号または音声信号を出力するように構成されており、
前記ディスプレイ装置は、前記第１接続ポートを介して前記第３接続ポートの映像信号を取得し、または、
前記ヘッドホン装置は、前記第３接続ポートを介して音声信号を取得し、前記ヘッドホン受話器によって前記音声信号を出力することを特徴とする、請求項１０に記載のヘッドマウントディスプレイシステム。
【請求項１７】
前記コントロールボックスは、制御ユニットと、入力ユニットと、記憶ユニットと、表示ユニットと、をさらに含み、
前記記憶ユニットは、音声および映像ファイルを格納するように構成されており、
前記制御ユニットは、ユーザが前記入力ユニットで入力した１つの映像ファイルを開く操作に応じて、前記映像ファイルを再生して対応する映像信号を生成し、前記映像出力ポートを介して前記映像信号を出力するように構成されており、
前記制御ユニットは、ユーザが前記入力ユニットで入力した１つの音声ファイルを開く操作に応じて、前記音声ファイルを再生して対応する音声信号を生成し、前記音声出力ポートを介して前記音声信号を出力するようにさらに構成されていることを特徴とする、請求項１５または１６に記載のヘッドマウントディスプレイシステム。
【請求項１８】
前記制御ユニットは、前記ディスプレイ装置が前記ヘッドホン装置と分離されている状態に応じて、前記コントロールボックスが音声再生モードに入るように制御するようにさらに構成されており、
前記音声再生モードにおいて、前記制御ユニットは、音声フォーマットのファイルソースのみを表示するように前記表示ユニットを制御することを特徴とする、請求項１７に記載のヘッドマウントディスプレイシステム。
【請求項１９】
前記コントロールボックスは、通信ユニットをさらに含み、
前記通信ユニットは、他の装置またはネットワークサーバと無線通信接続を行うように構成されており、
前記制御ユニットは、コントロールボックスが前記通信ユニットを介して前記他の装置またはネットワークサーバに接続される時、前記他の装置またはネットワークサーバにおける音声および映像ファイルを表示するように前記表示ユニットを制御し、前記音声および映像ファイルの選択に応じて、前記他の装置またはネットワークサーバにおける音声および映像ファイルを再生するように制御するようにさらに構成されていることを特徴とする、請求項１８に記載のヘッドマウントディスプレイシステム。
【請求項２０】
前記コントロールボックスは、他の装置と接続するように構成されている少なくとも１つのデータポートをさらに含み、
前記制御ユニットは、コントロールボックスが前記データポートを介して他の装置に接続される時、前記他の装置における音声および映像ファイルを表示するように前記表示ユニットを制御し、前記音声および映像ファイルの選択に応じて、前記他の装置における音声および映像ファイルを再生するように制御するようにさらに構成されていることを特徴とする、請求項１８に記載のヘッドマウントディスプレイシステム。
【国際調査報告】
2019505114.tif 000011
2019505114.tif 000012
2019505114.tif 000013
2019505114.tif 000014